(57)【要約】【課題】  殺菌効率の高い上履き殺菌装置の提供。【解決手段】  本発明は、殺菌灯が設置された照射空間と、殺菌対象物が載せられて前記照射空間を通過する無端搬送手段とを備えた上履き殺菌装置において、前記照射空間に前記殺菌灯の照射光を反射させる反射板を配設したことを特徴とする。又、反射板は照射光を乱反射させる形状であることを特徴とする。又、反射板は無端搬送装置の搬送方向を軸として半割り筒状に搬送面を覆うように形成したことを特徴とする。又、照射空間の入口と出口には、進行方向に若干の間隔をおいた遮光カーテンを少なくとも２枚配設したことを特徴とする。【選択図】図１
2006288606.tif 000002
【特許請求の範囲】
【請求項１】
殺菌灯が設置された照射空間と、殺菌対象物が載せられて前記照射空間を通過する無端搬送手段とを備えた上履き殺菌装置において、
前記照射空間に前記殺菌灯の照射光を反射させる反射板を配設したことを特徴とする上履き殺菌装置。
【請求項２】
反射板は照射光を乱反射させる形状であることを特徴とする請求項１に記載の上履き殺菌装置。
【請求項３】
反射板は照射光を乱反射させるよう配置された複数の反射部材で構成したことを特徴とする請求項１に記載の上履き殺菌装置。
【請求項４】
反射板は鏡であることを特徴とする請求項１に記載の上履き殺菌装置。
【請求項５】
反射板は無端搬送装置の搬送方向を軸として半割り筒状に搬送面を覆うように形成したことを特徴とする請求項１乃至請求項４の何れかに記載の上履き殺菌装置。
【請求項６】
無端搬送装置に乗せられて上履きが出入りする照射空間の入口と出口には、進行方向に若干の間隔をおいた遮光カーテンを少なくとも２枚配設したことを特徴とする請求項１乃至請求項５の何れかに記載の上履き殺菌装置。
【請求項７】
遮光カーテンの間隔は一方の遮光カーテンを上履きが通過している間は他方の遮光カーテンが出入り口を遮光できる間隔であることを特徴とする請求項６に記載の上履き殺菌装置。
【請求項８】
無端搬送装置は、スイッチ手段により正逆回転自在に構成したことを特徴とする請求項１乃至請求項８の何れかに記載の上履き殺菌装置。
【発明の詳細な説明】
【技術分野】
【０００１】
本発明は、スリッパ等の上履きを殺菌する上履き殺菌装置に関するものである。
【背景技術】
【０００２】
ホテルや旅館或いは医院等において来客用に使用されるスリッパ等の上履き（以下、単にスリッパともいう）は、不特定の人に使用されるため、衛生上問題がある。又、スリッパを利用する人は、衛生上の安全性に疑問を持ちながらも、止むを得ず利用しているのが実情である。
【０００３】
このような衛生上の問題や利用者の不安を解消するため、各種の殺菌装置が提案されている。例えば、特開平１１−５６９８２に掲載のスリッパ殺菌装置。
【特許文献１】特開平１１−５６９８２公報
【発明の開示】
【発明が解決しようとする課題】
【０００４】
しかしながら、従来のこの種の装置では、殺菌灯が照射されている空間を通過するベルト上に単にスリッパを載置した状態で通過させるだけの構成であるため、スリッパの外観側は殺菌されても、殺菌灯の光（照射光）が届き難いスリッパの内側、例えばスリッパの甲の内側部分の殺菌が十分でない、という問題があった。
【０００５】
本発明は、かかる問題の解決を目的としてなされたもので、スリッパの内側を十分に殺菌できる上履き殺菌装置の提供を目的とする。
【課題を解決するための手段】
【０００６】
請求項１の上履き殺菌装置の発明は、殺菌灯が設置された照射空間と、殺菌対象物が載せられて前記照射空間を通過する無端搬送手段とを備えた上履き殺菌装置において、前記照射空間に前記殺菌灯の照射光を反射させる反射板を配設したことを特徴とする。
【０００７】
請求項２の発明は、請求項１に記載の上履き殺菌装置において、反射板は照射光を乱反射させる形状であることを特徴とする。
【０００８】
請求項３の発明は、請求項１に記載の上履き殺菌装置において、反射板は照射光を乱反射させるよう配置された複数の反射部材で構成したことを特徴とする。
【０００９】
請求項４の発明は、請求項１に記載の上履き殺菌装置において、反射板は鏡であることを特徴とする。
【００１０】
請求項５の発明は、請求項１乃至請求項４の何れかに記載の上履き殺菌装置において、反射板は無端搬送装置の搬送方向を軸として半割り筒状に搬送面を覆うように形成したことを特徴とする。
【００１１】
請求項６の発明は、請求項１乃至請求項５の何れかに記載の上履き殺菌装置において、無端搬送装置に乗せられて上履きが出入りする照射空間の入口と出口には、進行方向に若干の間隔をおいた遮光カーテンを少なくとも２枚配設したことを特徴とする。
【００１２】
請求項７の発明は、請求項６に記載の上履き殺菌装置において、遮光カーテンの間隔は一方の遮光カーテンを上履きが通過している間は他方の遮光カーテンが出入り口を遮光できる間隔であることを特徴とする。
【００１３】
請求項８の発明は、請求項１乃至請求項８の何れかに記載の上履き殺菌装置において、無端搬送装置はスイッチ手段により正逆回転自在に構成したことを特徴とする。
【発明の効果】
【００１４】
請求項1乃至請求項８の各発明によれば、殺菌灯からの直接的な照射光のみならず、反射板により反射された反射光が照射空間に満ちるので、直接的な照射光のみの場合に較べて、殺菌灯の数や配置が従来のままでも、上履きの内部にまで照射光（反射光）を及ぼすことができ、殺菌効率を高めることができる。
【００１５】
請求項２及び請求項３の各発明によれば、照射光を乱反射させることによって、より一層、上履きの内部にまで照射光（反射光）を及ぼすことができ、殺菌効率を高めることができる。
【００１６】
請求項５の発明によれば、反射板を一枚板にて容易に加工することができると共に、搬送装置の搬送方向に所要の長さで容易に配設することができる。
【００１７】
請求項６及び請求項７の各発明によれば、複数の遮光カーテンを配設するという比較的簡単な設備によって、照射空間外への照射光の漏れを容易に防止することができる。
【００１８】
請求項８の発明によれば、スイッチ操作一つで搬送手段を正逆回転させることができるので、照射空間内を所望回数往復動させることによって、十分な照射を任意に行うことができる。
【発明を実施するための最良の形態】
【００１９】
以下、本発明をスリッパを対象とした殺菌装置を例にして、図１乃至図８に基づいて説明する。
図１は、上履き殺菌装置の平面図、図２は上履き殺菌装置の側面図、図３は上履き殺菌装置の内部を示す要部平面図、図４は上履き殺菌装置を構成するテーブルの平面図、図５はテーブルの側面図、図６はテーブルの端面図、図７は図１のＡ−Ａ線部断面図、図８は図１のＢ−Ｂ線部断面図である。
【実施例】
【００２０】
図１乃至図３において、図中の符号１０は両端に開放口を備えた箱体であって、内部に照射空間１１が形成されている。両端の開放口は一方が入口１２、他方が出口１３である。この照射空間１１の天井側には殺菌灯１４が設置されているが、殺菌灯１４は必ずしも天井に設ける必要はなく、照射空間１１に適宜配設すればよい。
尚、図中の符号１５は箱体１０の上面に設けられた覗き窓であり、照射光がもれないようスモークガラス等の遮光素材で形成されている。この覗き窓１５により、殺菌されながら通過するスリッパ（図示せず）を目視することができる。
【００２１】
箱体１０には、入口１２から出口１３を貫通して無端搬送手段２０が配設されている。
この無端搬送手段２０は、断面が伏せコ字形に形成されて平らに組み込まれたテーブル２１と、当該テーブル２１の両端側に各々配設された案内ローラ２２．２２と、前記テーブル２１上を入口１２から出口１３方向に向けて一側面側が移動可能となるよう前記案内ローラ２２，２２に掛け回された無端搬送帯２３とを主要部として構成されている。
【００２２】
この無端搬送手段２０の無端搬送体２３に殺菌対象物即ちこの例ではスリッパ（図示せず）が載せられて、前記照射空間１１を通過する間に、殺菌灯１４の照射光を浴びて殺菌処理される。
【００２３】
箱体１２の両開放口である入口１２と出口１３には、各々当該開放口（１３，１４）を外界と遮断するための遮光カーテン３０を設けている。
図２に示すように、この実施例では、無端搬送装置２０に乗せられて上履きが出入りする照射空間１１の入口１２と出口１３には、各々進行方向に若干の間隔をおいて少なくとも２枚の遮光カーテン３１，３２が各々配設されている。
【００２４】
この２枚の遮光カーテン３１，３２の配置間隔は、一方の遮光カーテン３１の下をスリッパが通過している間、他方の遮光カーテン３２は正常な状態で垂れ下がって、照射空間１１と外界とを遮断できる間隔とする。従って、この遮光カーテン３０（３１，３２）は３枚以上を同様の間隔で配置するのが好ましい。
【００２５】
このように、一方の遮光カーテン３１を上履きが通過している間は他方の遮光カーテン３２が出入り口を遮光できる間隔となるように、複数の遮光カーテン３０（３１，３２）を配設する、という比較的簡単な設備によって、照射空間１１外への照射光の漏れを容易に防止することができる。
【００２６】
前記の照射空間１１内には、光原の殺菌灯１４からの照射光を当該照射空間１１内に反射させる反射板４０を設けている。
この実施例では、反射板として鏡を用い、搬送方向を軸として半割り筒状に搬送面を覆うように形成して配設してある。
【００２７】
このように、反射板４０を設けることにより、殺菌灯１４からの直接的な照射光のみならず、反射板４０により反射された反射光が照射空間１１に満ちるので、上履きの内部にまで照射光（反射光）を及ぼすことができ、殺菌効率を従来の装置に較べて一段と高めることができる。
【００２８】
反射板４０は、実施例の形状に限らず、照射光を乱反射させる形状であればよい（図示せず）。
又、反射板４０は１枚で構成する必要はなく、複数の反射部材で照射光を乱反射させるよう配置された構成としてもよい（図示せず）。
【００２９】
図２において、符号４５はスイッチ手段であり、このスイッチ操作により、無端搬送装置２０の無端搬送帯２３の搬送方向を正逆回転自在に構成している。
このように構成することによって、スイッチ操作一つで無端搬送手段２０を正逆回転させることができるので、照射空間１１内を所望回数往復動させることができ、被殺菌目的物の汚染状態に応じて、十分な照射を任意に行うことができる。
【００３０】
更に、図２及び図４乃至図６において、この実施例では、テーブル２１を断面伏せコ字形状に形成した両側面の両端側に、テーブル２１の延在方向に適当間隔で複数のビス穴２４，２４、２４を設けると共に、これらのビス穴に２４，２４、２４に止着ビス２５によって装着されるブラケット２６，２６を設け、これ等のブラケット２６，２６によって、テーブル２１の両端側に配置される
案内ローラ２２．２２を支持する構成としている。
【００３１】
このような構成により、無端搬送帯２３が伸びた場合には、ブラケット２６，２６の取り付け位置をテーブル２１の延在方向に適宜ずらして付け替えることにより、無端搬送帯２３の緊張度合いを容易に調整することができる。
【産業上の利用可能性】
【００３２】
本発明は、スリッパ等の上履き殺菌装置としても利用可能であることは勿論であるが、下履きの殺菌装置として、或いは、その他の物の殺菌装置として広く利用することができる。
【図面の簡単な説明】
【００３３】
【図１】上履き殺菌装置の平面図である。
【図２】上履き殺菌装置の側面図である。
【図３】上履き殺菌装置の内部を示す要部平面図である。
【図４】上履き殺菌装置を構成するテーブルの平面図である。
【図５】テーブルの側面図である。
【図６】テーブルの端面図である。
【図７】図１のＡ−Ａ線部断面図である。
【図８】図１のＢ−Ｂ線部断面図である。
【符号の説明】
【００３４】
１０  箱体
１１  照射空間
１２  入口（開放口）
１３  出口（開放口）
１４  殺菌灯
２０  無端搬送手段
２１  テーブル
２２  案内ローラ
２３  無端搬送帯
３０  遮光カーテン
３１  遮光カーテン
３２  遮光カーテン
４０  反射板（鏡）
４５  スイッチ手段
【図１】
2006288606.tif 000003
【図２】
2006288606.tif 000004
【図３】
2006288606.tif 000005
【図４】
2006288606.tif 000006
【図５】
2006288606.tif 000007
【図６】
2006288606.tif 000008
【図７】
2006288606.tif 000009
【図８】
2006288606.tif 000010